(57)【要約】      （修正有）【課題】誘導加熱コイルに対して被加熱物を差し込んで誘導加熱することが可能であるとともに、加熱分布が均一となるように被加熱物を均一に誘導加熱することができるようにした誘導加熱コイルを提供することにある。【解決手段】誘導加熱により被加熱物２０を加熱する誘導加熱コイル１０において、被加熱物を配置可能な間隔Ｇを開けて、同一方向に高周波電流が流れる第１の誘導加熱コイル部１２と第２の誘導加熱コイル部１４とを配置した。【選択図】図３
2019212538.tif 000002
【特許請求の範囲】
【請求項１】
誘導加熱により被加熱物を加熱する誘導加熱コイルにおいて、
被加熱物を配置可能な間隔を開けて、同一方向に高周波電流が流れる第１の誘導加熱コイル部と第２の誘導加熱コイル部とを配置した
ことを特徴とする誘導加熱コイル。
【請求項２】
請求項１に記載の誘導加熱コイルにおいて、前記第１の誘導加熱コイル部と前記第２の誘導加熱コイル部とは、同じ巻き方向の螺旋形状に巻回されている
ことを特徴とする誘導加熱コイル。
【請求項３】
請求項１に記載の誘導加熱コイルにおいて、前記第１の誘導加熱コイル部と前記第２の誘導加熱コイル部とは、反対の巻き方向の螺旋形状に巻回されている
ことを特徴とする誘導加熱コイル。
【請求項４】
請求項２に記載の誘導加熱コイルにおいて、
前記第１の誘導加熱コイル部の前記螺旋形状の延長方向における一方側の端部と前記第２の誘導加熱コイル部の前記螺旋形状の延長方向における前記一方側の端部とは反対側の他方側の端部とが接続され、
前記第１の誘導加熱コイル部の前記螺旋形状における前記他方側の端部と前記第２の誘導加熱コイル部の前記螺旋形状における前記一方側の端部とが、前記第１の誘導加熱コイル部と前記第２の誘導加熱コイル部とへ高周波電流を通電する高周波電流源に接続されている
ことを特徴とする誘導加熱コイル。
【請求項５】
請求項３に記載の誘導加熱コイルにおいて、
前記第１の誘導加熱コイル部の前記螺旋形状の延長方向における一方側の端部と前記第２の誘導加熱コイル部の前記螺旋形状の延長方向における前記一方側の端部とが接続され、
前記第１の誘導加熱コイル部の前記螺旋形状における前記一方側の端部とは反対側の他方側の端部と前記第２の誘導加熱コイル部の前記螺旋形状における前記他方端部とが、前記第１の誘導加熱コイル部と前記第２の誘導加熱コイル部とへ高周波電流を通電する高周波電流源に接続されている
ことを特徴とする誘導加熱コイル。
【請求項６】
請求項４または５のいずれか１項に記載の誘導加熱コイルにおいて、
前記第１の誘導加熱コイル部と前記第２の誘導加熱コイル部とを上方側または下方側のいずれか一方で接続した
ことを特徴とする誘導加熱コイル。
【請求項７】
請求項２、３、４、５または６のいずれか１項に記載の誘導加熱コイルにおいて、
前記螺旋形状は、略四角形状の領域が螺旋状に連続している
ことを特徴とする誘導加熱コイル。
【請求項８】
請求項７に記載の誘導加熱コイルにおいて、
前記第１の誘導加熱コイル部と前記第２の誘導加熱コイル部とは、互いの前記略四角形状における辺の領域が対向するように配置されている
ことを特徴とする誘導加熱コイル。
【請求項９】
請求項２、３、４、５、６、７または８のいずれか１項に記載の誘導加熱コイルにおいて、
前記螺旋形状は、常螺旋形状または平行巻き螺旋形状である
ことを特徴とする誘導加熱コイル。
【請求項１０】
請求項２、３、４、５、６、７、８または９のいずれか１項に記載の誘導加熱コイルにおいて、
前記螺旋形状の内径側に、磁性材料を配置した
ことを特徴とする誘導加熱コイル。
【発明の詳細な説明】
【技術分野】
【０００１】
本発明は、誘導加熱コイルに関する。さらに詳細には、本発明は、被加熱物を均一に加熱することが可能な誘導加熱コイルに関する。
【背景技術】
【０００２】
従来より、誘導加熱によるろう付け作業などのように、誘導加熱コイルに対して被加熱物を差し込んで誘導加熱する際に用いる誘導加熱コイルとしては、所謂、鞍型誘導加熱コイル（なお、「鞍型誘導加熱コイル」は「ヘアピン型誘導加熱コイル」とも称される。）が用いられている。
【０００３】
ここで、従来の鞍型誘導加熱コイルを用いて被加熱物を誘導加熱する際において、図１に示すように、高周波電流源１００に接続された鞍型誘導加熱コイル２００の前端部領域Ａにおいて円柱形状の被加熱物３００を誘導加熱する場合について検討する。
【０００４】
この場合には、鞍型誘導加熱コイル２００の上方側コイル２００ａと下方側コイル２００ｂとにそれぞれ対向する被加熱物３００の軸方向に沿って延長する周面部にはループする誘導電流が発生し、被加熱物３００を誘導加熱することができる。
【０００５】
その一方で、被加熱物３００の左右両側面部には、鞍型誘導加熱コイル２００の上方側コイル２００ａと下方側コイル２００ｂとから互いに相殺する向きの誘導電流が流れるため、被加熱物３００は直接的に誘導加熱されない。
【０００６】
即ち、この図１に示すように、鞍型誘導加熱コイル２００の前端部領域Ａにおいて被加熱物３００を誘導加熱する場合においては、被加熱物３００の軸方向に沿って延長する周面部は直接的に誘導加熱されるが、その一方で、被加熱物３００左右両側面部が直接的に誘導加熱されないので、被加熱物３００の断面方向における加熱分布が均一にはならないという問題点があった。
【０００７】
次に、従来の鞍型誘導加熱コイルを用いて被加熱物を誘導加熱する際において、図２に示すように、高周波電流源１００に接続された鞍型誘導加熱コイル２００の懐部領域Ｂにおいて被加熱物３００を誘導加熱する場合について検討する。
【０００８】
この場合には、被加熱物３００の左右両側端部において対向する誘導電流が流れるため、被加熱物３００の中央部は直接的に誘導加熱されない。
【０００９】
このため、図２に示すように、鞍型誘導加熱コイル２００の懐部領域Ｂにおいて被加熱物３００を誘導加熱する場合においても、被加熱物３００の加熱分布が均一にはならないという問題点があった。
【００１０】
なお、上記した従来の鞍型誘導加熱コイルを用いて被加熱物の加熱分布を均一にしようとすると、鞍型誘導加熱コイルに対して被加熱物を回転するなどのために、鞍型誘導加熱コイルと被加熱物との位置関係を相対的に移動するための構成を設けて当該移動作業を行う必要があり、構成ならびに作業が繁雑なるという新たな問題点を招来するものとなっていた。
【００１１】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１２】
本発明は、上記したような従来の技術の問題点に鑑みてなされたものであり、その目的とするところは、誘導加熱コイルに対して被加熱物を差し込んで誘導加熱することが可能であるとともに、加熱分布が均一となるように被加熱物を均一に誘導加熱することができるようにした誘導加熱コイルを提供しようとするものである。
【課題を解決するための手段】
【００１３】
上記目的を達成するために、本発明は、被加熱物を配置可能な間隔を開けて、同一方向に高周波電流が流れる第１の誘導加熱コイル部と第２の誘導加熱コイル部とを配置するようにしたものである。
【００１４】
従って、本発明によれば、同一方向に高周波電流が流れる第１の誘導加熱コイル部と第２の誘導加熱コイル部との間に被加熱物を配置することで、当該被加熱物の断面周囲方向に均一かつ同じ方向に回転する誘導電流を流すことができるようになるので、当該被加熱物を均一に加熱して加熱分布を均一にすることができる。
【００１５】
また、本発明によれば、第１の誘導加熱コイル部と第２の誘導加熱コイル部との間に被加熱物を配置可能な間隔が開けられているので、第１の誘導加熱コイル部と第２の誘導加熱コイル部との間に被加熱物を差し込んで配置することができる。
【００１６】
さらに、本発明によれば、誘導加熱コイルと被加熱物との位置関係を相対的に移動することなく当該被加熱物を均一に加熱して加熱分布を均一にすることができるので、構成が簡潔であるとともに作業性もよい。
【００１７】
即ち、本発明は、誘導加熱により被加熱物を加熱する誘導加熱コイルにおいて、被加熱物を配置可能な間隔を開けて、同一方向に高周波電流が流れる第１の誘導加熱コイル部と第２の誘導加熱コイル部とを配置するようにしたものである。
【００１８】
また、本発明は、上記した本発明において、上記第１の誘導加熱コイル部と上記第２の誘導加熱コイル部とは、同じ巻き方向の螺旋形状に巻回されているようにしたものである。
【００１９】
また、本発明は、上記した本発明において、上記第１の誘導加熱コイル部と上記第２の誘導加熱コイル部とは、反対の巻き方向の螺旋形状に巻回されているようにしたものである。
【００２０】
また、本発明は、上記した本発明において、上記第１の誘導加熱コイル部の上記螺旋形状の延長方向における一方側の端部と上記第２の誘導加熱コイル部の上記螺旋形状の延長方向における上記一方側の端部とは反対側の他方側の端部とが接続され、上記第１の誘導加熱コイル部の上記螺旋形状における上記他方側の端部と上記第２の誘導加熱コイル部の上記螺旋形状における上記一方側の端部とが、上記第１の誘導加熱コイル部と上記第２の誘導加熱コイル部とへ高周波電流を通電する高周波電流源に接続されているようにしたものである。
【００２１】
また、本発明は、上記した本発明において、上記第１の誘導加熱コイル部の上記螺旋形状の延長方向における一方側の端部と上記第２の誘導加熱コイル部の上記螺旋形状の延長方向における上記一方側の端部とが接続され、上記第１の誘導加熱コイル部の上記螺旋形状における上記一方側の端部とは反対側の他方側の端部と上記第２の誘導加熱コイル部の上記螺旋形状における上記他方端部とが、上記第１の誘導加熱コイル部と上記第２の誘導加熱コイル部とへ高周波電流を通電する高周波電流源に接続されているようにしたものである。
【００２２】
また、本発明は、上記した本発明において、上記第１の誘導加熱コイル部と上記第２の誘導加熱コイル部とを上方側または下方側のいずれか一方で接続するようにしたものである。
【００２３】
また、本発明は、上記した本発明において、上記螺旋形状は、略四角形状の領域が螺旋状に連続しているようにしたものである。
【００２４】
また、本発明は、上記した本発明において、上記第１の誘導加熱コイル部と上記第２の誘導加熱コイル部とは、互いの上記略四角形状における辺の領域が対向するように配置されているようにしたものである。
【００２５】
また、本発明は、上記した本発明において、上記螺旋形状は、常螺旋形状または平行巻き螺旋形状であるようにしたものである。
【００２６】
また、本発明は、上記した本発明において、上記螺旋形状の内径側に、磁性材料を配置するようにしたものである。
【発明の効果】
【００２７】
本発明は、以上説明したように構成されているので、誘導加熱コイルに対して被加熱物を差し込んで誘導加熱することが可能であるとともに、加熱分布が均一となるように被加熱物を均一に誘導加熱することができるようになるという優れた効果を奏する。
【図面の簡単な説明】
【００２８】
【図１】図１は、従来の鞍型誘導加熱コイルを用いて被加熱物を誘導加熱する際において、鞍型誘導加熱コイルの前端部領域において被加熱物を誘導加熱する場合を模式的に示す説明図である。
【図２】図２は、従来の鞍型誘導加熱コイルを用いて被加熱物を誘導加熱する際において、鞍型誘導加熱コイルの懐部領域において被加熱物を誘導加熱する場合を模式的に示す説明図である。
【図３】図３は、本発明の実施の形態の一例による誘導加熱コイルを模式的に示す説明図であり、図４のＤ矢視図である。
【図４】図４は、本発明の実施の形態の一例による誘導加熱コイルを模式的に示す説明図であり、図３のＣ矢視図である。
【図５】図５は、本発明の実施の形態の他の例による誘導加熱コイルを模式的に示す説明図であり、図６のＦ矢視図である。
【図６】図６は、本発明の実施の形態の他の例による誘導加熱コイルを模式的に示す説明図であり、図５のＥ矢視図である。
【図７】図７は、本発明の実施の形態の他の例による誘導加熱コイルを模式的に示す説明図であり、図８のＫ矢視図である。
【図８】図８は、本発明の実施の形態の他の例による誘導加熱コイルを模式的に示す説明図であり、図７のＪ矢視図である。
【図９】図９は、本発明の実施の形態の他の例による誘導加熱コイルを模式的に示す説明図であり、図１０のＭ矢視図である。
【図１０】図１０は、本発明の実施の形態の他の例による誘導加熱コイルを模式的に示す説明図であり、図９のＬ矢視図である。
【発明を実施するための形態】
【００２９】
以下、添付の図面を参照しながら、本発明による誘導加熱コイルの実施の形態の一例を詳細に説明するものとする。
【００３０】
図３ならびに図４には、本発明の実施の形態の一例による誘導加熱コイルを模式的に示す説明図があらわされている。なお、図３は図４のＤ矢視図であり、図４は図３のＣ矢視図である。
【００３１】
この誘導加熱コイル１０は、高周波電流源３０にそれぞれ接続された第１誘導加熱コイル部１２と第２誘導加熱コイル部１４とを有して構成されている。
【００３２】
ここで、第１誘導加熱コイル部１２と第２誘導加熱コイル部１４とは、それぞれ螺旋形状（ソレノイド形状）に巻回されて構成されていて、第１誘導加熱コイル部１２と第２誘導加熱コイル部１４とは略同一の形状を備えている。
【００３３】
具体的には、第１誘導加熱コイル部１２と第２誘導加熱コイル部１４とはＸＺ平面において略四角形状を備えており、互いの略四角形状における辺の領域が対向するように第１誘導加熱コイル部１２と第２誘導加熱コイル部１４とが配置されている。
【００３４】
また、第１誘導加熱コイル部１２と第２誘導加熱コイル部１４とは、それぞれのソレノイド軸方向（延長方向）が前後方向に延長するとともに、上下方向における同一平面上において左右方向に所定の間隙Ｇを開けて配置されている。
【００３５】
こうした第１誘導加熱コイル部１２と第２誘導加熱コイル部１４とは、Ｃ矢視ならびにＤ矢視において同じ巻き方向の螺旋形状（ソレノイド形状）に巻回されている。
【００３６】
ここで、間隙Ｇは、第１誘導加熱コイル部１２と第２誘導加熱コイル部１４との間に被加熱物２０を下方から差し込み可能な裕度をもった寸法に設定されている。
【００３７】
なお、本実施の形態においては、被加熱物２０が円柱状の形状を備えた場合について示している。
【００３８】
そして、誘導加熱コイル１０においては、第１誘導加熱コイル部１２の螺旋形状における延長方向の一方側の端部（前方側端部）の上方側に位置する前方側端部１２ａと、第２誘導加熱コイル部１４の螺旋形状における上記一方側とは反対側の他方側の端部（後方側端部）の上方側に位置する後方側端部１４ａとが、接続部１６により電気的に接続されている。
【００３９】
また、誘導加熱コイル１０においては、第１誘導加熱コイル部１２の螺旋形状における上記一方側とは反対側の他方側の端部（後方側端部）の上方側に位置する後方側端部１２ｂと高周波電流源３０とが電気的に接続され、かつ、第２誘導加熱コイル部１４の螺旋形状における上記一方側の端部（前方側端部）の上方側に位置する前方側端部１４ｂと高周波電流源３０とが電気的に接続されている。
【００４０】
従って、誘導加熱コイル１０に高周波電流源３０から高周波電流が通電されると、Ｃ矢視ならびにＤ矢視において、第１誘導加熱コイル部１２と第２誘導加熱コイル部１４とに同一方向に高周波電流が流れる。
【００４１】
以上の構成において、第１誘導加熱コイル部１２と第２誘導加熱コイル部１４との間に下方側から被加熱物２０を差し込み、高周波電流源３０により誘導加熱コイル１０に高周波電流を通電する。
【００４２】
なお、第１誘導加熱コイル部１２と第２誘導加熱コイル部１４とは上方側で接続されているので、被加熱物２０を下方側から出し入れすることにより、第１誘導加熱コイル部１２と第２誘導加熱コイル部１４との間の間隙Ｇに被加熱物２０を配置する際に制約を受けることがない。
【００４３】
高周波電流源３０により誘導加熱コイル１０に高周波電流を通電すると、Ｃ矢視ならびにＤ矢視において、第１誘導加熱コイル部１２と第２誘導加熱コイル部１４とに同一方向の高周波電流が流れ、誘導電流が被加熱物２０の周面に沿って同一方向、かつ、均一に流れることになる。
【００４４】
即ち、左側の第１誘導加熱コイル部１２と右側の第２誘導加熱コイル部１４とから電磁誘導を受けて、被加熱物２０の周面に沿って同一方向、かつ、均一に誘導電流が流れる。
【００４５】
つまり、この被加熱物２０においては、前後方向のいずれの位置においても同様の誘導電流が流れる。
【００４６】
従って、誘導加熱コイル１０によれば、被加熱物２０を流れる誘導電流により、被加熱物２０を均一に誘導加熱することができる。
【００４７】
以上において説明したように、誘導加熱コイル１０によれば、加熱分布が均一となるように被加熱物２０を均一に誘導加熱することができるようになる。
【００４８】
また、誘導加熱コイル１０によれば、第１誘導加熱コイル部１２と第２誘導加熱コイル部１４とをＸＺ平面において略四角形状を備えるようにすればよいので、第１誘導加熱コイル部１２と第２誘導加熱コイル部１４とを容易に作製することができる。
【００４９】
さらに、誘導加熱コイル１０によれば、互いの略四角形状における辺の領域が対向するように第１誘導加熱コイル部１２と第２誘導加熱コイル部１４とが配置されていて、その間に被加熱物２０が差し込まれて電磁誘導されるので、被加熱物２０を効率よく加熱することができるようになる。
【００５０】
さらに、誘導加熱コイル１１０によれば、誘導加熱コイル１０と被加熱物２０との位置関係を相対的に移動することなく被加熱物２０を均一に加熱して加熱分布を均一にすることができるので、構成が簡潔であるとともに作業性もよい。
【００５１】
なお、上記した各実施の形態は例示に過ぎないものであり、本発明は他の種々の形態で実施することができる。即ち、本発明は、上記した各実施の形態に限定されるものではなく、本発明の要旨を逸脱しない範囲で種々の省略、置き換え、変更などを行うことができる。
【００５２】
例えば、上記した各実施の形態は、以下の（１）乃至（８）に示すように変形するようにしてもよい。
【００５３】
（１）上記した実施の形態においては、第１誘導加熱コイル部１２と第２誘導加熱コイル部１４とは、Ｃ矢視ならびにＤ矢視において、同じ巻き方向の螺旋形状（ソレノイド形状）に巻回されているようにしたが、これに限られるものではないことは勿論である。例えば、図５および図６に示すように、Ｅ矢視ならびにＦ矢視において、第１誘導加熱コイル部１２と第２誘導加熱コイル部１４との巻き方向が互いに反対方向（反対の巻き方向）の螺旋形状（ソレノイド形状）に巻回されて、螺旋形状（ソレノイド形状）の巻き方が間隙Ｇを挟んで対称形となるようにしてもよい。
【００５４】
このようにした場合には、図５ならびに図６に示すように、第１誘導加熱コイル部１２の後方側端部１２ｂと第２誘導加熱コイル部１４の後方側端部１４ａとを、接続部１６により電気的に接続する。さらに、第１誘導加熱コイル部１２の前方側端部１２ａと高周波電流源３０とを電気的に接続し、かつ、第２誘導加熱コイル部１４の前方側端部１４ｂと高周波電流源３０とを電気的に接続する。このように第１誘導加熱コイル部１２、第２誘導加熱コイル部１４、接続部１６ならびに高周波電流源３０を接続すると、誘導加熱コイル１０に高周波電流源３０から高周波電流が通電されたとき、Ｅ矢視ならびにＦ矢視において、第１誘導加熱コイル部１２と第２誘導加熱コイル部１４とに同一方向に高周波電流が流れる。
【００５５】
（２）上記した実施の形態においては、単一の高周波電流源３０により第１誘導加熱コイル部１２と第２誘導加熱コイル部１４とに高周波電流を通電するようにしたが、これに限られるものではないことは勿論である。例えば、誘導加熱コイル１０において、接続部１６を設けることなく、第１誘導加熱コイル部１２と第２誘導加熱コイル部１４とを電気的に絶縁して構成するとともに、第１誘導加熱コイル部１２と第２誘導加熱コイル部１４とに高周波電流を通電するための高周波電流源をそれぞれ設け、第１誘導加熱コイル部１２と第２誘導加熱コイル部１４とに対してそれぞれ設けた高周波電流源を同期して駆動して通電開始および通電停止を行うようにしてもよい。
【００５６】
（３）上記した実施の形態においては、第１誘導加熱コイル部１２と第２誘導加熱コイル部１４とがＸＺ平面において略四角形状を備えているように構成したが、これに限られるものではないことは勿論である。例えば、第１誘導加熱コイル部１２と第２誘導加熱コイル部１４とがＸＺ平面において略円形形状を備えているように構成してもよいし、第１誘導加熱コイル部１２と第２誘導加熱コイル部１４とがＸＺ平面において略三角形状や略五角形以上の適宜の多角形状を備えているように構成してもよい。
【００５７】
（４）上記した実施の形態においては、被加熱部２０として円柱形状の被加熱物を加熱する場合について説明したが、これに限られるものではないことは勿論である。例えば、被加熱部２０は適宜の多角柱形状でもよいし、その他の形状でもよい。
【００５８】
（５）上記した実施の形態においては、接続部１６により第１誘導加熱コイル部１２と第２誘導加熱コイル部１４とを上方側で接続するように構成したが、これに限られるものではないことは勿論である。例えば、第１誘導加熱コイル部１２と第２誘導加熱コイル部１４とを下方側で接続するように構成してもよい。第１誘導加熱コイル部１２と第２誘導加熱コイル部１４とを下方側で接続した場合でも、被加熱物２０を上方側から出し入れすることにより、第１誘導加熱コイル部１２と第２誘導加熱コイル部１４との間の間隙Ｇに被加熱物２０を配置する際に制約を受けることがない。
【００５９】
（６）上記した実施の形態においては、第１誘導加熱コイル部１２と第２誘導加熱コイル部１４との螺旋形状について常螺旋形状を示したが、これに限られるものではないことは勿論である。第１誘導加熱コイル部１２と第２誘導加熱コイル部１４との螺旋形状は、例えば、図７ならびに図８に示すように、周状の一箇所のみで巻きの高さ（Ｙ軸方向の位置）の変更があり、その他の部分の高さ（Ｙ軸方向の位置）は一定に保たれている、所謂、平行巻き螺旋形状でもよい。要するに、本発明における螺旋形状とは、回転しながら回転面に垂直成分のある方向へ上昇する三次元曲線の形状全般を意味するものであって、特に限定されるものではない。
【００６０】
（７）上記した実施の形態においては、第１誘導加熱コイル部１２と第２誘導加熱コイル部１４との螺旋形状の内径側に磁性材料を配置していないが、これに限られるものではないことは勿論である。例えば、図９ならびに図１０に示すように、第１誘導加熱コイル部１２の螺旋形状の内径側に鉄などの磁性材料よりなる四角柱形状体４０を配置するとともに、第２誘導加熱コイル部１４の螺旋形状の内径側に鉄などの磁性材料よりなる四角柱形状体４２を配置するようにしてもよい。このように、第１誘導加熱コイル部１２と第２誘導加熱コイル部１４との螺旋形状の内径側に磁性材料を配置することにより、インダクタンスを大きくすることができる。なお、第１誘導加熱コイル部１２と第２誘導加熱コイル部１４との螺旋形状の内径側に配置する磁性材料の組成や形状や大きさなどは、図９ならびに図１０を参照しながら上記において説明したものに限られるものではなく、任意の大きさや形状を適宜に選択すればよい。
【００６１】
（８）上記した各実施の形態ならびに上記した（１）乃至（７）に示す各実施の形態は、適宜に組み合わせるようにしてもよいことは勿論である。
【産業上の利用可能性】
【００６２】
本発明は、誘導加熱によるろう付け作業などのように、誘導加熱コイルに対して被加熱物を差し込んで誘導加熱する際に利用することができる。
【符号の説明】
【００６３】
１０      誘導加熱コイル
１２      第１誘導加熱コイル（第１の誘導加熱コイル）
１２ａ    第１誘導加熱コイルの前方側端部
１２ｂ    第１誘導加熱コイルの後方側端部
１４      第２誘導加熱コイル（第２の誘導加熱コイル）
１４ａ    第２誘導加熱コイルの後方側端部
１４ｂ    第２誘導加熱コイルの前方側端部
１６      接続部
２０      被加熱物
３０      高周波電流源
４０      四角柱形状体
４２      四角柱形状体
Ｇ      第１誘導加熱コイルと第２誘導加熱コイルとの間の間隙
１００      高周波電流源
２００      鞍型誘導加熱コイル
２００ａ    上方側コイル
２００ｂ    下方側コイル
３００      被加熱物
Ａ      鞍型誘導加熱コイルの前端部領域
Ｂ      鞍型誘導加熱コイルの懐部領域
【図１】
2019212538.tif 000003
【図２】
2019212538.tif 000004
【図３】
2019212538.tif 000005
【図４】
2019212538.tif 000006
【図５】
2019212538.tif 000007
【図６】
2019212538.tif 000008
【図７】
2019212538.tif 000009
【図８】
2019212538.tif 000010
【図９】
2019212538.tif 000011
【図１０】
2019212538.tif 000012